(57)【特許請求の範囲】
【請求項１】
直流電力系統と交流電力系統の間に接続され、直流電力を交流電力、又は交流電力を直流電力に変換する半導体電力変換器を複数個電気的に接続し、前記各半導体電力変換器毎に、各々設けられる電圧指令値発生器からの電圧指令値に基づき得られるゲート信号を、前記各半導体電力変換器に与えるゲート制御器を備えた半導体電力変換装置において、
前記各電力変換器における交流電流信号又は交流電圧信号の合成値或いは前記各ゲート信号の合成値を検出し、この検出値に含まれる高調波成分を抽出し、この高調波成分を最小値とする共通の高調波補償制御器と、
を具備したことを特徴とする半導体電力変換装置。
【請求項２】
直流電力系統と交流電力系統の間に接続され、直流電力を交流電力、又は交流電力を直流電力に変換する半導体電力変換器を複数個電気的に直列接続し、前記各半導体電力変換器毎に、各々設けられる電圧指令値発生器からの電圧指令値に基づき得られるゲート信号を、前記各半導体電力変換器に与えるゲート制御器を備えた半導体電力変換装置において、
前記各電力変換器における交流電流信号又は交流電圧信号の合成値或いは前記各ゲート信号の合成値を検出し、この検出値に含まれる高調波成分を抽出し、この高調波成分を最小値とする共通の高調波補償制御器と、
を具備したことを特徴とする半導体電力変換装置。
【請求項３】
直流電力系統と交流電力系統の間に接続され、直流電力を交流電力、又は交流電力を直流電力に変換する半導体電力変換器を複数個電気的に並列接続し、前記各半導体電力変換器毎に、各々設けられる電圧指令値発生器からの電圧指令値に基づき得られるゲート信号を、前記各半導体電力変換器に与えるゲート制御器を備えた半導体電力変換装置において、
前記各電力変換器における交流電流信号又は交流電圧信号の合成値或いは前記各ゲート信号の合成値を検出し、この検出値に含まれる高調波成分を抽出し、この高調波成分を最小値とする共通の高調波補償制御器と、
を具備したことを特徴とする半導体電力変換装置。
【請求項４】
前記共通の高調波補償制御器は、
前記各電力変換器における交流電流信号又は交流電圧信号の合成値或いは前記各ゲート信号の合成値を検出し、この検出値に含まれる高調波成分を抽出する共通の高調波成分抽出器と、
前記高調波成分抽出器で抽出した高調波成分を最小にするための補正用電圧指令値を求める共通の補償器と、
前記電圧指令値発生器からの電圧指令値に、前記共通の補償器で求めた補正用電圧指令値をそれぞれ加算した加算値を前記各ゲート制御器の電圧指令値とする複数の加算器と、
を備えたことを特徴とする請求項１乃至請求項３のいずれか一つに記載の半導体電力変換装置。
【発明の詳細な説明】
【技術分野】
【０００１】
本発明は、複数の半導体電力変換器を直列接続又は並列接続した多重半導体電力変換装置及び単数の半導体電力変換器を接続した半導体電力変換装置に関する。
【背景技術】
【０００２】
特許文献１には、出力側に絶縁変圧器が接続されていない第１のインバータの出力電圧に、少なくとも１台以上の第２インバータの出力電圧を絶縁変圧器を介して加算し、前記第１及び第２のインバータの各出力電圧を合成して得られた交流電力を負荷に供給するための多重インバータ制御装置において、前記第１のインバータ（例えば高調波を多く発生するもの）の出力電圧を検出する電圧検出器と、前記第１のインバータの出力電圧に含まれるリップル電圧に基づいて前記第２のインバータに対する電圧基準値を補正する補正手段を設け、前記第２のインバータの出力電圧により、前記第１のインバータの出力電圧に含まれるリップル電圧を相殺するようにした点が記載されている。
【先行技術文献】
【特許文献】
【０００３】
【特許文献１】特開平３−７０４７２号公報
【発明の概要】
【発明が解決しようとする課題】
【０００４】
前述した特許文献１に記載の発明にあっては、次の問題点が挙げられる。
【０００５】
（１）直列多重接続構成において、全段のインバータの中で特定のインバータから発生する高調波のみを抑制するための制御方式であり、全段のインバータを合成した出力を補償するものではない。
【０００６】
（２）インバータ１台あるいはインバータの並列多重接続の構成における高調波抑制方式については触れられていない。
【０００７】
本発明は、交流電流に含まれる高調波の抑制を図ることができる半導体電力変換装置を提供することを目的とする。
【課題を解決するための手段】
【０００８】
前記目的を達成するため、請求項１に対応する発明は、直流電力系統と交流電力系統の間に接続され、直流電力を交流電力、又は交流電力を直流電力に変換する半導体電力変換器を複数個電気的に接続し、前記各半導体電力変換器毎に、各々設けられる電圧指令値発生器からの電圧指令値に基づき得られるゲート信号を、前記各半導体電力変換器に与えるゲート制御器を備えた半導体電力変換装置において、前記各電力変換器における交流電流信号又は交流電圧信号の合成値或いは前記各ゲート信号の合成値を検出し、この検出値に含まれる高調波成分を抽出し、この高調波成分を最小値とする共通の高調波補償制御器と、
を具備した半導体電力変換装置である。
【０００９】
前記目的を達成するため、請求項２に対応する発明は、直流電力系統と交流電力系統の間に接続され、直流電力を交流電力、又は交流電力を直流電力に変換する半導体電力変換器を複数個電気的に直列接続し、前記各半導体電力変換器毎に、各々設けられる電圧指令値発生器からの電圧指令値に基づき得られるゲート信号を、前記各半導体電力変換器に与えるゲート制御器を備えた半導体電力変換装置において、前記各電力変換器における交流電流信号又は交流電圧信号の合成値或いは前記各ゲート信号の合成値を検出し、この検出値に含まれる高調波成分を抽出し、この高調波成分を最小値とする共通の高調波補償制御器と、を具備した半導体電力変換装置である。
【００１０】
前記目的を達成するため、請求項３に対応する発明は、直流電力系統と交流電力系統の間に接続され、直流電力を交流電力、又は交流電力を直流電力に変換する半導体電力変換器を複数個電気的に並列接続し、前記各半導体電力変換器毎に、各々設けられる電圧指令値発生器からの電圧指令値に基づき得られるゲート信号を、前記各半導体電力変換器に与えるゲート制御器を備えた半導体電力変換装置において、前記各電力変換器における交流電流信号又は交流電圧信号の合成値或いは前記各ゲート信号の合成値を検出し、この検出値に含まれる高調波成分を抽出し、この高調波成分を最小値とする共通の高調波補償制御器と、を具備した半導体電力変換装置である。
【図面の簡単な説明】
【００１１】
【図１】本発明の多重半導体電力変換装置の第１の実施形態の概略を示す回路図。
【図２】本発明の多重半導体電力変換装置の第２の実施形態の概略を示す回路図。
【図３】本発明の多重半導体電力変換装置の第３の実施形態の概略を示す回路図。
【発明を実施するための形態】
【００１２】
図１は本発明の多重半導体電力変換装置の第１の実施形態を示す回路図で、直流電力系統例えばバッテリ１と交流電力系統又は負荷２の間に接続され、直流電力を交流電力に変換する半導体電力変換器（例えば４個の半導体素子がブリッジ接続されたもの）３１、３２…３Ｎを複数個電気的に直列接続し、各半導体電力変換器３１、３２…３Ｎ毎に、電圧指令値発生器４１、４２…４Ｎからの電圧指令値に基づき得られるゲート信号を与えるゲート制御器（例えばＰＷＭ制御器）５１、５２…５Ｎを備え、半導体電力変換器３１、３２…３Ｎと交流電力系統又は負荷２の間に絶縁変圧器６１、６２…６Ｎが接続された多重半導体電力変換装置において、以下の構成を具備したものである。
【００１３】
各電力変換器３１、３２…３Ｎにおける交流電流信号又は交流電圧信号の合成値或いは各ゲート信号の合成値を検出し、この検出値に含まれる高調波成分を抽出し、この高調波成分を最小値とする高調波補償制御器７を具備したものである。
【００１４】
高調波補償制御器７は、具体的には各電力変換器３１、３２…３Ｎにおける交流電流信号を検出する電流検出器１１又は交流電圧信号を検出する電圧検出器１２或いは各ゲート信号を検出するゲート信号検出器１３１、１３２…１３Ｎと、前記電流検出器１１又は前記電圧検出器１２或いは前記ゲート信号検出器１３１、１３２…１３Ｎの検出値に含まれる高調波成分を抽出する高調波成分抽出器８と、高調波成分抽出器８で抽出した高調波成分を最小にするための補正用電圧指令値を求める補償器９と、電圧指令値発生器４１、４２…４Ｎからの電圧指令値に、前記補償器で求めた補正用電圧指令値を加算した加算値をゲート制御器５１、５２…５Ｎの電圧指令値とする加算器１０１、１０２…１０Ｎとを備えたものである。
【００１５】
以上述べた本発明の多重半導体電力変換装置の実施形態によれば、各電力変換器３１、３２…３Ｎの出力合成値、具体的には交流電流（出力電流）、交流電圧（出力電圧）、ゲート信号に含まれる高調波成分を高調波成分抽出器８により抽出し、この抽出した高調波成分が補償器９に入力され、ここで抽出した高調波成分を最小値とする補正用電圧指令値を出力し、この補正用電圧指令値を加算器１０１、１０２…１０Ｎにより電圧指令値発生器４１、４２…４Ｎからの電圧指令値にそれぞれ加算され、この加算された電圧指令値がゲート制御器（例えばＰＷＭ制御器）５１、５２…５Ｎに与えられる。この結果、高調波補償が可能となる。
【００１６】
図２は本発明の多重半導体電力変換装置の第２の実施形態を示す回路図で、直流電力系統例えばバッテリ１と交流電力系統又は負荷２の間に接続され、直流電力を交流電力に変換する半導体電力変換器（例えば４個の半導体素子がブリッジ接続されたもの）３１、３２…３Ｎを複数個電気的に並列接続し、各半導体電力変換器３１、３２…３Ｎ毎に、電圧指令値発生器４１、４２…４Ｎからの電圧指令値に基づき得られるゲート信号を与えるゲート制御器（例えばＰＷＭ制御器）５１、５２…５Ｎを備え、半導体電力変換器３１、３２…３Ｎと交流電力系統又は負荷２の間にリアクトル１４１、１４２…１４Ｎが接続された多重半導体電力変換装置において、前述の図１の実施形態と同様に、各電力変換器３１、３２…３Ｎにおける交流電流信号又は交流電圧信号の合成値或いは各ゲート信号の合成値を検出し、この検出値に含まれる高調波成分を抽出し、この高調波成分を最小値とする高調波補償制御器７を具備したものである。
【００１７】
高調波補償制御器７は、具体的には各電力変換器３１、３２…３Ｎにおける交流電流信号を検出する電流検出器１１又は交流電圧信号を検出する電圧検出器１２或いは各ゲート信号を検出するゲート信号検出器１３１、１３２…１３Ｎと、前記電流検出器１１又は前記電圧検出器１２或いは前記ゲート信号検出器１３１、１３２…１３Ｎの検出値に含まれる高調波成分を抽出する高調波成分抽出器８と、高調波成分抽出器８で抽出した高調波成分を最小にするための補正用電圧指令値を求める補償器９と、電圧指令値発生器４１、４２…４Ｎからの電圧指令値に、前記補償器で求めた補正用電圧指令値を加算した加算値をゲート制御器５１、５２…５Ｎの電圧指令値とする加算器１０１、１０２…１０Ｎとを備えたものである。
【００１８】
以上述べた本発明の多重半導体電力変換装置の実施形態によれば、各電力変換器３１、３２…３Ｎの出力合成値、具体的には交流電流（出力電流）、交流電圧（出力電圧）、ゲート信号に含まれる高調波成分を高調波成分抽出器８により抽出し、この抽出した高調波成分が補償器９に入力され、ここで抽出した高調波成分を最小値とする補正用電圧指令値を出力し、この補正用電圧指令値を加算器１０１、１０２…１０Ｎにより電圧指令値発生器４１、４２…４Ｎからの電圧指令値にそれぞれ加算され、この加算された電圧指令値がゲート制御器（例えばＰＷＭ制御器）５１、５２…５Ｎに与えられる。この結果、図２の実施形態によれば高調波補償が可能となる。図１及び図２の実施形態によれば、各電力変換器の回路構成に依存せず、直列多重接続と並列多重接続方式の両方で高調波補償が可能である。
【００１９】
図３は本発明の多重半導体電力変換装置の第３の実施形態を示す回路図で、直流電力系統例えばバッテリ１と交流電力系統又は負荷２の間に接続され、直流電力を交流電力に変換する例えば三相半導体電力変換器３を接続し、半導体電力変換器３、電圧指令値発生器４からの電圧指令値に基づき得られるゲート信号を与えるゲート制御器（例えばＰＷＭ制御器）５を備え、半導体電力変換器３と交流電力系統又は負荷２の間にリアクトル１４が接続された半導体電力変換装置において、以下の構成を具備したものである。
【００２０】
電力変換器３における交流電流信号又は交流電圧信号或いはゲート信号を検出し、この検出値に含まれる高調波成分を抽出し、この高調波成分に対して高い補償ゲインを持つ高調波補償制御器７を具備したものである。
【００２１】
高調波補償制御器７は、具体的には電力変換器３における交流電流信号を検出する電流検出器１１又は交流電圧信号を検出する電圧検出器１２或いはゲート信号を検出するゲート信号検出器１３と、前記電流検出器１１又は前記電圧検出器１２或いは前記ゲート信号検出器１３の検出値に含まれる高調波成分を抽出する高調波成分抽出器８と、高調波成分抽出器８で抽出した高調波成分を打消す高い補償ゲインを持つ補償器９と、電圧指令値発生器４からの電圧指令値に、前記補償器の高い補償ゲインで求めた補正用電圧指令値を加算した加算値をゲート制御器５の電圧指令値とする加算器１０とを備えたものである。
【００２２】
以上述べた本発明の第３の実施形態によれば、高調波補償器９で演算した高調波補償電圧指令値を、加算器１０により従来のゲート制御器５の電圧指令値に加算したので、電流検出器１１又は電圧検出器１２或いはゲート信号検出器１３の検出値に含まれる高調波成分を抑制できる。
【産業上の利用可能性】
【００２３】
前述の図１の実施形態の電力変換装置は複数個の単相ブリッジを直列多重化した単相電力変換装置であるが、これを複数の単相ブリッジを三相結線した三相電力変換装置及び三相ブリッジを複数個直列多重化した三相電力変換装置であってもよい。
【００２４】
前述の図２の実施形態の電力変換装置は複数個の単相ブリッジを並列多重化した単相電力変換装置であるが、これを複数の単相ブリッジを三相結線した三相電力変換装置及び三相ブリッジを複数個並列多重化した三相電力変換装置であってもよい。
【００２５】
前述の実施形態では、各電力変換器はインバータの場合について説明したが、コンバータの場合であっても前述の実施形態と同様に実施できる。
【符号の説明】
【００２６】
１…バッテリ、２…交流電力系統又は負荷、３、３１、３２…３Ｎ…半導体電力変換器、４、４１、４２…４Ｎ…電圧指令値発生器、５、５１、５２…５Ｎ…ゲート制御器例えばＰＷＭ制御器、６１、６２…６Ｎ…絶縁変圧器、７…高調波補償制御器、８…高調波成分抽出器、９…高調波補償器、１０、１０１、１０２…１０Ｎ…加算器、１１…電流検出器、１２…電圧検出器、１３、１３１．１３２…１３Ｎ…ゲート信号検出器、１４、１４１、１４２…１４Ｎ…リアクトル。
【図１】
0005972593.tif 000002
【図２】
0005972593.tif 000003
【図３】
0005972593.tif 000004